(57)【要約】【課題】外観が等しくても品番が異なるもの同士を容易に識別可能とする搬送ローラ及び該搬送ローラを備えた搬送装置を提供する。【解決手段】搬送装置としての画像形成装置１は転写紙を送り出すための搬送ローラ１３ａ，１３ｂを備えている。搬送ローラ１３ａ，１３ｂは芯軸１４とローラ体１５を備えている。ローラ体１５は弾性を有する合成樹脂で構成されて芯軸１４の外周に該芯軸１４と同軸に取り付けられている。外観が等しく品番の異なる搬送ローラ１３ａ，１３ｂはローラ体１５が互いに異なる色相の色Ａ，Ｂに形成されている。【選択図】図２
2007302463.tif 000002
【特許請求の範囲】
【請求項１】
芯軸と、この芯軸の外周に取り付けられかつ当該芯軸と同軸に配置された円筒状のローラ体と、を備えているとともに、前記ローラ体の外周面に紙を接触させて軸芯回りに回転されることで、この紙を送り出す搬送ローラにおいて、
互いに外観が等しく品番の異なるもの同士が、前記ローラ体の少なくとも一部が互いに異なる色相の色に形成されていることを特徴とする搬送ローラ。
【請求項２】
装置本体と、
芯軸と、この芯軸の外周に取り付けられかつ当該芯軸と同軸に配置された円筒状のローラ体と、を有した複数の搬送ローラと、
を備えて、前記ローラ体の外周面に紙を接触させて前記搬送ローラを軸芯回りに回転することで、この紙を送り出す搬送装置において、
互いに外観が等しく品番の異なる搬送ローラが、前記ローラ体の少なくとも一部が互いに異なる色相の色に形成されていることを特徴とする搬送装置。
【請求項３】
前記装置本体の前記搬送ローラを取り付ける取り付け箇所に、当該取り付け箇所に取り付ける搬送ローラのローラ体に対応する印が設けられていることを特徴とする請求項２記載の搬送装置。
【請求項４】
前記印の色が、取り付け箇所に取り付ける搬送ローラのローラ体の少なくとも一部の色と等しいことを特徴とする請求項３記載の搬送装置。
【請求項５】
前記印が、前記取り付け箇所に取り付ける搬送ローラの芯軸の端部を示す印であることを特徴とする請求項４記載の搬送装置。
【請求項６】
前記印が、前記ローラ体の外周面の凹凸の方向性を示す印であることを特徴とする請求項３記載の搬送装置。
【発明の詳細な説明】
【技術分野】
【０００１】
本発明は、例えば、画像形成装置としての複写機、ファクシミリ、スキャナ装置等の紙を搬送する搬送装置に用いられる搬送ローラ及び該搬送ローラを備えた搬送装置に関する。
【背景技術】
【０００２】
従来から、画像形成装置としての複写機、ファクシミリ、スキャナ装置等の紙（転写紙）を搬送する搬送装置は、複数の搬送ローラを備えている。搬送ローラは、円柱状の芯軸と、該芯軸の外周に取り付けられた円筒状のローラ体を備えている。ローラ体は、ゴムなどの弾指変形自在な合成樹脂（即ち、例えばゴム、プラスチック、エラストマーなどの弾性材料）で構成されており、芯軸と同軸に配置されている。
【０００３】
前述した搬送装置は、ローラ体の外周面に紙を接触させて、搬送ローラを軸芯回りに回転することで、当該紙を搬送する。前述した搬送装置に用いられる搬送ローラには、ローラ体の外径が数ミリ程度異なったり、ローラ体の材質、表面粗さなどが異なって、外観が等しくても品番の異なるもの（目視した程度では、厳密には外観が異なる（少々ローラ体の幅、数、芯軸の外径や幅などが若干異なること）が外観の差を判別不能なものや外観の差を判別しにくいもの）が用いられている。従来の搬送装置では、外観が等しく品番の異なる（目視した程度では、品番の判別が不能な）搬送ローラ同士の識別が困難であった。このため、従来の画像形成装置などの搬送装置では、品番の異なる搬送ローラ同士でローラ体の色の濃さを変更している。
【発明の開示】
【発明が解決しようとする課題】
【０００４】
しかしながら、前述した搬送ローラでは、ローラ体の色の濃さを変更しているだけであるので、複数の搬送ローラ同士を並べた際には、搬送ローラの品番の識別が可能であるが、一つの搬送ローラのみを目視した程度では、当該搬送ローラの品番を識別することが困難であった。このため、画像形成装置などの搬送装置のメンテナンスの際に、複数の搬送ローラを装置本体から一旦外して、再度、該搬送ローラを装置本体に組み付ける際に、当該搬送ローラ同士の識別が困難となって、搬送ローラを所望の位置に組み付けることが困難となることがあった。
【０００５】
したがって、本発明の目的は、例えば、外観が等しくても品番が異なるもの同士を容易に識別可能とする搬送ローラ及び該搬送ローラを備えた搬送装置を提供することにある。
【課題を解決するための手段】
【０００６】
前記課題を解決し目的を達成するために、請求項１に記載の本発明の搬送ローラは、芯軸と、この芯軸の外周に取り付けられかつ当該芯軸と同軸に配置された円筒状のローラ体と、を備えているとともに、前記ローラ体の外周面に紙を接触させて軸芯回りに回転されることで、この紙を送り出す搬送ローラにおいて、互いに外観が等しく品番の異なるもの同士が、前記ローラ体の少なくとも一部が互いに異なる色相の色に形成されていることを特徴としている。
【０００７】
前記課題を解決し目的を達成するために、請求項２に記載の本発明の搬送装置は、装置本体と、芯軸と、この芯軸の外周に取り付けられかつ当該芯軸と同軸に配置された円筒状のローラ体と、を有した複数の搬送ローラと、を備えて、前記ローラ体の外周面に紙を接触させて前記搬送ローラを軸芯回りに回転することで、この紙を送り出す搬送装置において、互いに外観が等しく品番の異なる搬送ローラが、前記ローラ体の少なくとも一部が互いに異なる色相の色に形成されていることを特徴としている。
【発明を実施するための最良の形態】
【０００８】
以下、本発明の一実施形態を説明する。本発明の一実施形態にかかる搬送ローラは、外観が等しくても品番が異なるもの同士のローラ体の色の色相が、互いに異なる。このため、単一の搬送ローラのローラ体の色を認識することで、搬送ローラの品番を容易に認識することができる。したがって、外観が等しくても品番が異なる搬送ローラ同士を容易に識別可能となる。
【０００９】
また、本発明の一実施形態の搬送装置は、前述した搬送ローラを備えているので、ローラ体の色を認識することで、外観が等しくても品番が異なる搬送ローラ同士を容易に識別可能となる。
【００１０】
さらに、搬送装置の装置本体の搬送ローラを取り付ける取り付け箇所に、当該取り付け箇所に取り付ける搬送ローラのローラ体に対応する印を設けても良い。この場合、各取り付け箇所に取り付ける搬送ローラを容易に識別することができる。
【００１１】
また、前述した印の色が、取り付け箇所に取り付ける搬送ローラのローラ体の色と等しくても良い。この場合、各取り付け箇所に取り付ける搬送ローラをより容易に識別することができる。さらに、印が取り付け箇所に取り付ける搬送ローラの芯軸の端部を示しても良く、印がローラ体の外周面の凹凸の方向性を示しても良い。この場合、搬送ローラを、該搬送ローラのローラ体の外周面に形成された凹凸としての筋状の研磨目の向きを予め定められた向き通りに、取り付けることができる。
【実施例】
【００１２】
本発明の一実施例を、図１ないし図４に基づいて説明する。
【００１３】
搬送装置としての画像形成装置１は、図１に示すように、装置本体２と、自動原稿送り装置３と、図示しないスキャナ装置と、給紙ユニット５と、図示しない書込ユニットとを備えている。
【００１４】
装置本体２は、例えば、複数の壁１２（図２中に一部を示す）を備えて、箱状に形成されているとともに、フロア上などに設置される。装置本体２は、スキャナ装置と、給紙ユニット５と、書込ユニットと、を収容している。
【００１５】
自動原稿送り装置３は、装置本体２の上部に取り付けられている。自動原稿送り装置３は、原稿載置板７と、ベルト送り装置８とを備えている。原稿載置板７は、平板状に形成され、装置本体２の上部に取り付けられているとともに、表面上に複数枚の原稿９が載置される。ベルト送り装置８は、原稿載置板７上の原稿９を一枚ずつ後述するコンタクトガラス１０上に送り出すとともに、後述の画像読み取りユニット１６により反射像が読み取られた原稿９をコンタクトガラス１０上から装置本体２外に排出する。
【００１６】
スキャナ装置は、装置本体２の上部でかつ前述した自動原稿送り装置３の下方に設けられ、原稿を載置するコンタクトガラス１０と図示しない光学走査系とを備えている。コンタクトガラス１０は、両表面が水平方向と平行な状態で、装置本体２の上面に取り付けられている。光学走査系は、露光ランプ、複数のミラー及び画像読み取りユニットなどを備え、原稿９に光を照射して、該原稿９からの反射像を画像読み取りユニットのライン型光電変換素子で光電変換して読み取る。
【００１７】
画像読み取りユニットは、前述した原稿の反射像をライン型光電変換素子によって読み取り、光信号から電気信号に変換して処理する。変換された電気信号は、図示しない画像処理部に向かって出力する。
【００１８】
給紙ユニット５は、装置本体２の下部に設けられた複数の転写紙収容部１９と、転写紙送り出しユニット２０と、を備えている。転写紙収容部１９は、複数の紙としての転写紙２１を収容する。転写紙送り出しユニット２０は、転写紙収容部１９内の転写紙２１を一枚ずつ書込ユニットに向けて送り出す。
【００１９】
書込ユニットは、レーザ書き込みユニットと、感光体ドラム２６と、現像装置２７と、転写ローラ２８と、定着装置２９とを備えている。
【００２０】
レーザ書き込みユニットは、画像処理部から入力したライン型光電変換素子が読み取った情報に応じて、感光体ドラム２６に向けてレーザ光を照射して、感光体ドラム２６の外周面上に前述した原稿９に対応した静電潜像を形成する。
【００２１】
感光体ドラム２６は、軸芯を中心として回転自在な円柱状又は円筒状に形成されている。感光体ドラム２６は、レーザ書き込みユニットにより形成され且つ担持する静電潜像にトナーが付着して現像し、こうして得られたトナー像を転写ローラ２８との間に位置付けられた転写紙２１に転写する。
【００２２】
現像装置２７は、トナーを感光体ドラム２６の外周面に付着させて、該感光体ドラム２６の外周面上の静電潜像を現像する。転写ローラ２８は、転写紙２１を感光体ドラム２６の外周面に押し付けて、感光体ドラム２６の外周面上のトナーを転写紙２１に転写するとともに、該転写紙２１を定着装置２９に向けて送り出す。定着装置２９は、感光体ドラム２６などに形成されたトナー像を転写紙２１に定着させ、転写紙２１を装置本体２外に排出する。
【００２３】
また、前述した画像形成装置１は、給紙ユニット５と、書込ユニットと、装置本体２外との順に、転写紙２１を搬送するための搬送ローラ１３を複数備えている。搬送ローラ１３は、それぞれ、装置本体２の壁１２などに対して軸芯回りに回転自在に支持されている。この搬送ローラ１３の詳細な構成は、後ほど説明する。
【００２４】
画像形成装置１は、搬送ローラ１３の後述するローラ体１５の外周面に転写紙２１を接触させて、該搬送ローラ１３を軸芯回りに回転することで、転写紙２１を給紙ユニット５と書込ユニットと装置本体２外との順に送り出す（搬送する）。
【００２５】
前述した画像形成装置１は、自動原稿送り装置３が、原稿９をスキャナ装置のコンタクトガラス１０上に自動的に給送し、読み取りが終了した原稿９を自動的に排出する。画像形成装置１は、スキャナ装置が、コンタクトガラス１０上にセットされた原稿９に光を照射し、この原稿９からの反射像をライン型光電変換素子によって読み取る。
【００２６】
画像形成装置１は、搬送ローラ１３などによって前述したように給紙ユニット５と書込ユニットとの順に転写紙２１を送り出しながら、書込ユニットが、スキャナ装置が光電変換した原稿９からの反射像の画像信号に基づいて、感光体ドラム２６上に画像を形成し、給紙ユニット５から給紙された転写紙２１上に画像を転写して定着する。画像形成装置１は、前述した搬送ローラ１３などによって、定着が完了した転写紙２１を装置本体２外に排出する。
【００２７】
前述した搬送ローラ１３は、図２ないし図４に示すように、円柱状の芯軸１４と、複数のローラ体１５とを備えている。芯軸１４は、金属や合成樹脂などの硬質な材料で構成されている。芯軸１４の一端部１４ａは、図３（ｄ）及び図４（ｄ）に示すように、断面Ｄ字状に形成されている。芯軸１４の他端部１４ｂは、図３（ｅ）及び図４（ｅ）に示すように、断面円形に形成されている。
【００２８】
ローラ体１５は、円筒状に形成されその内径が芯軸１４の外径と略等しく形成されたゴムローラ２３を備えている。ゴムローラ２３は、ＥＰＤＭ（Ethylene-propylene-diene methylene linkage）などの弾性を有する合成樹脂（即ち、ゴムなどの弾性材料）で構成されている。ゴムローラ２３即ちローラ体１５は、内側の芯軸１４を通して該芯軸１４の外周に取り付けられている。ゴムローラ２３即ちローラ体１５は、芯軸１４と同軸に配置されている。複数のゴムローラ２３即ちローラ体１５は、芯軸１４の長手方向に沿って、間隔をあけて配置されている。
【００２９】
ゴムローラ２３即ちローラ体１５の外周面には、例えば、図３（ｃ）及び図４（ｃ）に示すように、研磨加工やローレット加工などが施されて、断面山形の凹凸としての筋状の研磨目１６が複数形成されている。この種の筋状の研磨目１６は、ローラ体１５の外周面にランダムに配置され、かつローラ体１５即ち搬送ローラ１３の軸芯に沿って直線状に延在しているとともに、その断面形がローラ体１５の径方向に沿った径方向部１７と、ローラ体１５の径方向に対して交差して径方向部１７と連なった交差部１８とを有して、山形に形成されている。なお、特許請求の範囲に記載した凹凸の方向性とは、ローラ体１５のゴムローラ２３の断面において、筋状の研磨目１６の傾いた方向を示している。
【００３０】
筋状の研磨目１６は、ローラ体１５の軸方向に多数並べられて配置されており、ローラ体１５の軸方向の全長に亘っては延在していない。これらの筋状の研磨目１６によって、ローラ体１５の外周面は、いわゆる象肌状に形成されている。該筋状の研磨目１６は、転写紙２１を搬送する際に回転する方向や該転写紙２１を折り送り出す方向によって、その向きが予め定められている。
【００３１】
前述した搬送ローラ１３は、複数の品番が前述した画像形成装置１に用いられる。即ち、画像形成装置１は、複数の品番の搬送ローラ１３を備えている。搬送ローラ１３は、品番が異なると、ローラ体１５のゴムローラ２３の外径、材質、特性（外周面の摩擦係数、前述した筋状の研磨目１６の断面形の山の向き）が異なる。また、搬送ローラ１３は、品番が異なっていても、外観が等しいものや外観の差を識別し難いものが存在する。
【００３２】
なお、本明細書及び特許請求の範囲に記載した外観が等しいとは、目視した程度では外観の差を認識することができない程、外観が類似していることをいう。即ち、搬送ローラ１３は、目視した程度では、ローラ体１５のゴムローラ２３の外径、材質、特性（外周面の摩擦係数、前述した筋状の研磨目１６の断面形の山の向き）の差を認識することができない複数の品番が存在する。
【００３３】
本実施例では、外観が等しく品番の異なる搬送ローラ１３は、ローラ体１５のゴムローラ２３を構成する合成樹脂中に互いに異なる色相の色材（顔料又は染料）が混入されて、該ローラ体１５のゴムローラ２３が互いに異なる色相の色Ａ，Ｂ（図２、図３及び図４中に平行斜線で示す）に形成（着色）されている。このように、ゴムローラ２３全体が前述した色Ａ，Ｂに着色されることで、搬送ローラ１３は、ローラ体１５の少なくとも一部が互いに異なる色相の色Ａ，Ｂに形成（着色）されている。
【００３４】
なお、図２に示された二つのうちの一方の搬送ローラ１３を以下符号１３ａで示し、他方の搬送ローラ１３を以下符号１３ｂで示す。図３及び図４に示された搬送ローラ１３ａ，１３ｂは、互いに外観が等しく形成されているが、互いに品番の異なるものである。なお、図３及び図４に示された搬送ローラ１３ａ，１３ｂは、前述した筋状の研磨目１６の断面の山形の向きが互いに異なり、他はすべて等しく形成されている。
【００３５】
なお、図示例では、ローラ体１５のゴムローラ２３が互いに異なる色相の色Ａ，Ｂに形成された搬送ローラ１３ａ，１３ｂを二つのみ示しているが、本実施例の画像形成装置１では、もちろん、外観が等しく品番の異なる搬送ローラ１３ａ，１３ｂが三つ品番以上設けられているとともに、これらの外観が等しく品番の異なる搬送ローラ１３ａ，１３ｂのローラ体１５のゴムローラ２３が勿論互いに異なる色相の色Ａ，Ｂに形成されている。なお、互いに異なる色相の色Ａ，Ｂとは、グレー、赤、黄色、緑、青、黒などである。即ち、搬送ローラ１３ａのローラ体１５のゴムローラ２３の色が赤の場合には、搬送ローラ１３ｂのローラ体１５のゴムローラ２３の色がグレー、赤、黄色、緑、青、黒のうち赤以外の色となっている。
【００３６】
また、前述した装置本体２の壁１２には、図２に示すように、各搬送ローラ１３ａ，１３ｂを取り付ける取り付け箇所に、該取り付け箇所に取り付ける搬送ローラ１３ａ，１３ｂのローラ体１５と、該取り付け箇所に取り付ける搬送ローラ１３ａ，１３ｂの芯軸１４の端部１４ａ，１４ｂに対応した印２２ａ，２２ｂが設けられている。印２２ａ，２２ｂは、前述した壁１２の取り付け箇所の一部が、該取り付け箇所に取り付けられる搬送ローラ１３ａ，１３ｂのローラ体１５の色Ａ，Ｂと等しい色Ａ，Ｂに着色され、かつ該取り付け箇所に取り付ける搬送ローラ１３ａ，１３ｂの芯軸１４の端部１４ａ，１４ｂを示す印（模様）に形成されている。即ち、印２２ａ，２２ｂは、該取り付け箇所に取り付ける搬送ローラ１３ａ，１３ｂの芯軸１４の端部１４ａ，１４ｂのうち一方の端部を示している。図示例では、断面Ｄ字状に形成された一端部１４ａが取り付けられる取り付け箇所に形成された印２２ａ，２２ｂは、図２（ｂ）に示すように、Ｄ字状に形成されている。図示例では、断面円形に形成された他端部１４ｂが取り付けられる取り付け箇所に形成された印２２ａ，２２ｂは、図２（ｃ）に示すように、円形に形成されている。このように、図示例では、印２２ａ，２２ｂの色Ａ，Ｂが、取り付け箇所に取り付ける搬送ローラ１３ａ，１３ｂのローラ体１５の色Ａ，Ｂと等しくなっている。
【００３７】
本実施例によれば、搬送ローラ１３ａ，１３ｂは、外観が等しくても品番が異なるもの同士のローラ体１５のゴムローラ２３の色Ａ，Ｂの色相が、互いに異なる。このため、単一の搬送ローラ１３ａ，１３ｂのローラ体１５のゴムローラ２３の色Ａ，Ｂを認識することで、搬送ローラ１３ａ，１３ｂの品番を容易に認識することができる。したがって、外観が等しくても品番が異なる搬送ローラ１３ａ，１３ｂ同士を容易に識別可能となる。
【００３８】
また、画像形成装置１は、前述した搬送ローラ１３ａ，１３ｂを備えているので、ローラ体１５の色Ａ，Ｂを認識することで、外観が等しくても品番が異なる搬送ローラ１３ａ，１３ｂ同士を容易に識別可能となる。
【００３９】
さらに、画像形成装置１の装置本体２の搬送ローラ１３ａ，１３ｂを取り付ける取り付け箇所に、当該取り付け箇所に取り付ける搬送ローラ１３ａ，１３ｂのローラ体１５に対応する印２２ａ，２２ｂを設けている。このため、取り付け箇所に取り付ける搬送ローラ１３ａ，１３ｂを容易に識別することができる。
【００４０】
また、前述した印２２ａ，２２ｂの色Ａ，Ｂが、取り付け箇所に取り付ける搬送ローラ１３ａ，１３ｂのローラ体１５のゴムローラ２３の色Ａ，Ｂと等しくしている。このため、取り付け箇所に取り付ける搬送ローラ１３ａ，１３ｂをより容易に識別することができる。さらに、印２２ａ，２２ｂが取り付け箇所に取り付ける搬送ローラ１３ａ，１３ｂの芯軸１４の端部１４ａ，１４ｂを示している。このため、搬送ローラ１３ａ，１３ｂを、前述した筋状の研磨目１６の向きを予め定められた向き通りに取り付けることができる。
【００４１】
また、前述した実施例では、ローラ体１５のゴムローラ２３を構成する合成樹脂に所望の色の色材を混入して該ローラ体１５のゴムローラ２３を所望の色に着色している。しかしながら、本発明では、成形後のローラ体１５のゴムローラ２３に直接、所望の色の着色材を塗布して、該ローラ体１５のゴムローラ２３を所望の色に着色しても良い。要するに、本発明では、いかなる手段を用いて、ローラ体１５の少なくとも一部を所望の色に着色しても良い。
【００４２】
さらに、前述した実施例では、装置本体２の壁１２の一部などを着色して印２２ａ，２２ｂを形成している。しかしながら、本発明では、装置本体２の壁１２にシールやテープなどを貼り付けて、印２２ａ，２２ｂを形成しても良い。要するに、本発明では、いかなる手段を用いて、所望の色の印２２ａ，２２ｂを形成しても良い。
【００４３】
また、前述した実施例では、印２２ａ，２２ｂの外形を芯軸１４の断面形に形成している。しかしながら、本発明では、図５に示すように、印２２ａ，２２ｂの外形を芯軸１４の断面形以外の形状に形成して、取り付け箇所に取り付ける搬送ローラ１３ａ，１３ｂの端部１４ａ，１４ｂを示しても良い。図５に示す場合では、一端部１４ａにおける芯軸１４の端と最も一端部１４ａ寄りのゴムローラ２３との距離Ｓと他端部１４ｂにおける芯軸１４の端と最も他端部１４ｂ寄りのゴムローラ２３との距離Ｌとが異なっており、該距離Ｓが距離Ｌよりも短くなっている。一端部１４ａを取り付ける取り付け箇所を示す印２２ａ，２２ｂは、図５（ｂ）に示すように、色Ａ，ＢのＳ字状に形成されている。他端部１４ｂを取り付ける取り付け箇所を示す印２２ａ，２２ｂは、図５（ｃ）に示すように、色Ａ，ＢのＬ字状に形成されている。
【００４４】
また、本発明では、必ずしも、印２２ａ，２２ｂの色Ａ，Ｂと搬送ローラ１３ａ，１３ｂのローラ体１５の色Ａ，Ｂとを等しくしなくても良い。要するに、印２２ａ，２２ｂと搬送ローラ１３ａ，１３ｂとが対応していれば良い。前述した実施例では、ローラ体１５が複数設けられている。しかしながら、本発明では、図６に示すように、ローラ体１５のゴムローラ２３を長尺に形成して、一つの搬送ローラ１３ａ，１３ｂにローラ体１５を一つのみ設けても良い。
【００４５】
また、本発明では、ローラ体１５が、図７（ａ）及び図７（ｂ）に示すように、芯軸１４の外周に取り付けられた軸受２４と、該軸受２４の外周に取り付けられた前述したゴムローラ２３とを備えて、ゴムローラ２３を芯軸１４に対して回転自在としても良い。
【００４６】
さらに、図８及び図９に示すように、軸受２４の両端面の形状を互いに異ならせて、各端面と相対する壁１２に設けられた印２２ａ，２２ｂの形状を前述した端面に対応した形状としても良い。図８及び図９に示す場合には、軸受２４の一方の端面に凹部３０を設けて、該凹部３０が設けられた端面と相対する印２２ａ，２２ｂの形状を、前述した凹部３０が設けられた端面と同形状に形成している。なお、図７ないし図９において、前述した実施形態と同一部分には、同一符号を付して説明を省略する。
【００４７】
これらの図７ないし図９に示す場合では、もちろん、軸受２４を前述した色Ａ，Ｂに着色（形成）してもよく、ゴムローラ２３を前述した色Ａ，Ｂに着色（形成）してもよく、軸受２４とゴムローラ２３との双方を前述した色Ａ，Ｂに着色（形成）してもよい。なお、図示例では、軸受２４のみを前述した色Ａ，Ｂに着色（形成）している。要するに、本発明では、ローラ体１５の外表面の少なくとも一部を前述した色Ａ，Ｂに着色（形成）すれば良い。
【００４８】
また、図１０（ａ）ないし図１０（ｃ）に示すように、印２２ａ，２２ｂ自体を、搬送ローラ１３のローラ体１５のゴムローラ２３の外周面に形成された前述した筋状の研磨目１６を示す形状に形成しても良い。この場合、特に、芯軸１４の両端部のローラ体１５から突出した部分の長さが等しく、芯軸１４の両端部の外形が等しい場合に特に有効である。勿論、図１０に示された場合には、搬送ローラ１３を、該搬送ローラ１３のローラ体１５のゴムローラ２３の外周面に形成された凹凸としての筋状の研磨目１６の向きを予め定められた向き通りに取り付けることができる。なお、図１０（ａ）ないし図１０（ｃ）において、前述した実施形態と同一部分には、同一符号を付して説明を省略する。
【００４９】
さらに、本発明では、例えば、図１１に示す改札機１００などの画像形成装置１以外の紙を搬送する搬送装置に適用しても良いことは勿論である。
【００５０】
前述した実施例によれば、以下の搬送ローラ１３ａ，１３ｂが得られる。
【００５１】
（付記）  芯軸１４と、この芯軸１４の外周に取り付けられかつ当該芯軸１４と同軸に配置された円筒状のローラ体１５と、を備えているとともに、前記ローラ体１５の外周面に転写紙２１を接触させて軸芯回りに回転されることで、この転写紙２１を送り出す搬送ローラ１３ａ，１３ｂにおいて、
互いに外観が等しく品番の異なるもの同士が、前記ローラ体１５が互いに異なる色相の色Ａ，Ｂに形成されていることを特徴とする搬送ローラ１３，１３ｂ。
【００５２】
付記によれば、外観が等しくても品番が異なる搬送ローラ１３ａ，１３ｂのローラ体１５の色Ａ，Ｂの色相が、互いに異なる。このため、単一の搬送ローラ１３ａ，１３ｂのローラ体１５の色Ａ，Ｂを認識することで、搬送ローラ１３ａ，１３ｂの品番を容易に認識することができる。したがって、外観が等しくても品番が異なる搬送ローラ１３ａ，１３ｂ同士が容易に識別可能となる。
【００５３】
なお、前述した実施例は本発明の代表的な形態を示したに過ぎず、本発明は、実施例に限定されるものではない。即ち、本発明の骨子を逸脱しない範囲で種々変形して実施することができる。
【図面の簡単な説明】
【００５４】
【図１】本発明の一実施例にかかる搬送装置としての画像形成装置を示す説明図である。
【図２】図１に示された画像形成装置の搬送ローラなどを示す斜視図である。
【図３】（ａ）は図２に示された一方の搬送ローラの側面図であり、（ｂ）は図３（ａ）に示された一方の搬送ローラの側断面図であり、（ｃ）は図３（ａ）中のＩＩＩｃ−ＩＩＩｃ線に沿う断面図である。（ｄ）は図３（ａ）中の矢印ＩＩＩｄ方向からみた端面図である。（ｅ）は図３（ａ）中の矢印ＩＩＩｅ方向からみた端面図である。
【図４】（ａ）は図２に示された他方の搬送ローラの側面図であり、（ｂ）は図４（ａ）に示された他方の搬送ローラの側断面図であり、（ｃ）は図４（ａ）中のＩＶｃ−ＩＶｃ線に沿う断面図である。（ｄ）は図４（ａ）中の矢印ＩＶｄ方向からみた端面図である。（ｅ）は図４（ａ）中の矢印ＩＶｅ方向からみた端面図である。
【図５】図２に示された画像形成装置の搬送ローラなどの変形例を示す斜視図である。
【図６】図２に示された搬送ローラの他の変形例を示す斜視図である。
【図７】（ａ）は図２に示された搬送ローラの更に他の変形例の要部を示す端面図である。（ｂ）は図７（ａ）に示された搬送ローラの要部を示す側面図である。
【図８】（ａ）は図７に示された搬送ローラの別の変形例の要部を示す端面図である。（ｂ）は図８（ａ）中の矢印ＶＩＩＩｂ方向からみた側面図である。（ｃ）は図８（ｂ）中の矢印ＶＩＩＩｃ方向からみた端面図である。
【図９】は図８に示された搬送ローラの分解斜視図である。
【図１０】（ａ）は図２に示された搬送ローラの更に別の変形例などを示す斜視図である。（ｂ）は図１０（ａ）に示された一方の印の平面図である。（ｂ）は図１０（ｃ）に示された他方の印の平面図である。
【図１１】本発明の他の搬送装置としての改札機を示す説明図である。
【符号の説明】
【００５５】
１  画像形成装置（搬送装置）
２  装置本体
１３，１３ａ，１３ｂ  搬送ローラ
１４  芯軸
１４ａ，１４ｂ  端部
１５  ローラ体
１６  筋状の研磨目（凹凸）
２１  転写紙（紙）
２２ａ，２２ｂ  印
１００  改札機（搬送装置）
Ａ，Ｂ  色
【図１】
2007302463.tif 000003
【図２】
2007302463.tif 000004
【図３】
2007302463.tif 000005
【図４】
2007302463.tif 000006
【図５】
2007302463.tif 000007
【図６】
2007302463.tif 000008
【図７】
2007302463.tif 000009
【図８】
2007302463.tif 000010
【図９】
2007302463.tif 000011
【図１０】
2007302463.tif 000012
【図１１】
2007302463.tif 000013